(57)【要約】【課題】移動通信機の利用環境の違いから生じる利用可能時間の違いを利用者に通知することを目的とする。【解決手段】携帯電話機１００において、判定部１０５は、電池残量監視部１０６により監視されている電池残量を閾値記憶部１０９に記憶された閾値と比較する。そして、電池残量が閾値以下の場合に、受信レベル監視部１０３により監視されている受信信号の受信レベルを閾値記憶部１０９に記憶された閾値と比較する。判定部１０５は、受信信号の受信レベルが閾値以下の場合に、電池消費量が多いエリアで動作していることを示すメッセージを作成する。さらに、所定の通信（例えば、テレビ電話）を行っている場合には、電池消費量がより少ない通信（例えば、音声通話）に切り替えることを促すメッセージを作成する。【選択図】図１
2007288346.tif 000002
【特許請求の範囲】
【請求項１】
電池により動作する移動通信機において、
受信信号の受信レベルの閾値を記憶する閾値記憶部と、
受信信号の受信レベルを監視する受信レベル監視部と、
前記受信レベル監視部により監視されている受信信号の受信レベルを前記閾値記憶部に記憶された閾値と比較し、比較結果に応じて、電池消費量が多いエリアで動作していることを示すメッセージと電池消費量が少ないエリアで動作していることを示すメッセージとの少なくともいずれかを作成する判定部と、
前記判定部により作成されたメッセージを出力する出力部とを備えることを特徴とする移動通信機。
【請求項２】
前記判定部は、受信信号の受信レベルが閾値以下の場合に、電池消費量が多いエリアで動作していることを示すメッセージを作成することを特徴とする請求項１に記載の移動通信機。
【請求項３】
電池により動作する移動通信機において、
受信信号の受信レベルの閾値を記憶する閾値記憶部と、
受信信号の受信レベルを監視する受信レベル監視部と、
前記受信レベル監視部により監視されている受信信号の受信レベルを前記閾値記憶部に記憶された閾値と比較し、受信信号の受信レベルが閾値以下の場合であって所定の通信を行っている場合には、電池消費量がより少ない通信に切り替えることを促すメッセージを作成する判定部と、
前記判定部により作成されたメッセージを出力する出力部とを備えることを特徴とする移動通信機。
【請求項４】
前記移動通信機は、さらに、
電池残量を監視する電池残量監視部を備え、
前記閾値記憶部は、さらに、電池残量の閾値を記憶し、
前記判定部は、前記電池残量監視部により監視されている電池残量を前記閾値記憶部に記憶された閾値と比較し、電池残量が閾値以下の場合に、前記受信レベル監視部により監視されている受信信号の受信レベルを前記閾値記憶部に記憶された閾値と比較することを特徴とする請求項１から３までのいずれかに記載の移動通信機。
【請求項５】
電池により動作する移動通信機の閾値記憶部が、受信信号の受信レベルの閾値を記憶する閾値記憶ステップと、
前記移動通信機の受信レベル監視部が、受信信号の受信レベルを監視する受信レベル監視ステップと、
前記移動通信機の判定部が、前記受信レベル監視部により監視されている受信信号の受信レベルを前記閾値記憶部に記憶された閾値と比較し、比較結果に応じて、電池消費量が多いエリアで動作していることを示すメッセージと電池消費量が少ないエリアで動作していることを示すメッセージとの少なくともいずれかを作成する判定ステップと、
前記移動通信機の出力部が、前記判定部により作成されたメッセージを出力する出力ステップとを備えることを特徴とするガイド方法。
【請求項６】
前記判定部は、受信信号の受信レベルが閾値以下の場合に、電池消費量が多いエリアで動作していることを示すメッセージを作成することを特徴とする請求項５に記載のガイド方法。
【請求項７】
電池により動作する移動通信機の閾値記憶部が、受信信号の受信レベルの閾値を記憶する閾値記憶ステップと、
前記移動通信機の受信レベル監視部が、受信信号の受信レベルを監視する受信レベル監視ステップと、
前記移動通信機の判定部が、前記受信レベル監視部により監視されている受信信号の受信レベルを前記閾値記憶部に記憶された閾値と比較し、受信信号の受信レベルが閾値以下の場合であって所定の通信を行っている場合には、電池消費量がより少ない通信に切り替えることを促すメッセージを作成する判定ステップと、
前記移動通信機の出力部が、前記判定部により作成されたメッセージを出力する出力ステップとを備えることを特徴とするガイド方法。
【請求項８】
前記ガイド方法は、さらに、
前記移動通信機の電池残量監視部が、電池残量を監視する電池残量監視ステップを備え、
前記閾値記憶ステップは、前記閾値記憶部が、さらに、電池残量の閾値を記憶し、
前記判定ステップは、前記判定部が、前記電池残量監視部により監視されている電池残量を前記閾値記憶部に記憶された閾値と比較し、電池残量が閾値以下の場合に、前記受信レベル監視部により監視されている受信信号の受信レベルを前記閾値記憶部に記憶された閾値と比較することを特徴とする請求項５から７までのいずれかに記載のガイド方法。
【発明の詳細な説明】
【技術分野】
【０００１】
本発明は、移動通信機及びガイド方法に関するものである。本発明は、特に、電池により動作する携帯電話機、その動作制御方法、及びその利用者へのガイド機能に関するものである。
【背景技術】
【０００２】
従来の携帯電話機（携帯端末）では、待ち受け状態が継続したときにどれくらい使用できるかを示す待ち受け時間、及び通話状態が継続したときにどれくらい使用できるかを示す通話可能時間を実測している。そして、携帯電話機の使用時には、周期的に電池電圧を検出し、実測値（使用可能時間）と電池電圧から待ち受け時間及び通話可能時間を求め、ディスプレイへ表示していた（例えば、特許文献１参照）。
【特許文献１】特開平１１−６９４４２号公報（第１図）
【発明の開示】
【発明が解決しようとする課題】
【０００３】
携帯電話機では、ネットワークとの接続には無線基地局を介して無線通信で行う。しかし、利用する周りの環境や基地局からの距離等により、この無線通信において、受信レベルが低い環境が存在する。こうした環境において携帯電話機は、許容される範囲内で、送信パワーを上げることにより、無線通信を維持しようとする。こうした環境において携帯電話機を使用すると、受信レベルが高いエリアで使用した場合よりも電池消費量が多い分、同じ電池残量でも使用可能時間が短くなるため、利用者は使用時間に不満を感じるという課題があった。
【０００４】
本発明は、移動通信機の利用環境の違いから生じる利用可能時間の違いを利用者に通知することを目的とする。
【課題を解決するための手段】
【０００５】
本発明に係る移動通信機は、
電池により動作する移動通信機において、
受信信号の受信レベルの閾値を記憶する閾値記憶部と、
受信信号の受信レベルを監視する受信レベル監視部と、
前記受信レベル監視部により監視されている受信信号の受信レベルを前記閾値記憶部に記憶された閾値と比較し、比較結果に応じて、電池消費量が多いエリアで動作していることを示すメッセージと電池消費量が少ないエリアで動作していることを示すメッセージとの少なくともいずれかを作成する判定部と、
前記判定部により作成されたメッセージを出力する出力部とを備えることを特徴とする。
【発明の効果】
【０００６】
本発明では、電池により動作する移動通信機において、判定部が、受信レベル監視部により監視されている受信信号の受信レベルを閾値記憶部に記憶された閾値と比較し、比較結果に応じて、電池消費量が多いエリアで動作していることを示すメッセージと電池消費量が少ないエリアで動作していることを示すメッセージとの少なくともいずれかを作成し、出力部が、判定部により作成されたメッセージを出力することにより、移動通信機の利用環境の違いから生じる利用可能時間の違いを利用者に通知することが可能となる。
【発明を実施するための最良の形態】
【０００７】
以下、本発明の実施の形態について、図を用いて説明する。
【０００８】
実施の形態１．
前述したように、携帯電話機は、受信レベルが低い状況では、許容される範囲で、送信パワーを上げることにより通信を維持しようとする。このため、受信レベルが低いエリアで携帯電話を使用すると、受信レベルが高いエリアで使用した場合よりも電池消費量が多い分、使用時間が短くなり、使用状況（電池消費量が多いエリアにいること）を知らない利用者は使用時間が短いことに不満を感じる。そこで、以下に説明するように、本実施の形態では、携帯電話機の利用時に、電池残量だけでなく受信レベルの状態を考慮し、現在の使用エリアが電池消費量の多いエリアであることを通知する機能や、より電池消費量の少ない通信サービス（テレビ電話なら音声通話）への切り替えを促すガイド機能を提供する。これにより、利用者の使用時間に対する不満を解消することが可能となる。
【０００９】
図１は、本実施の形態に係る移動通信機の構成を示すブロック図である。以下では、本実施の形態では、移動通信機を携帯電話機として説明するが、ＰＤＡ（Ｐｅｒｓｏｎａｌ・Ｄｉｇｉｔａｌ・Ａｓｓｉｓｔａｎｔ）、ノートブックコンピュータ、その他の携帯端末等としてもよい。
【００１０】
携帯電話機１００は、アンテナ１０１、無線部１０２、制御部１０４、電池残量監視部１０６、マンマシン部１０７、電池１０８、閾値記憶部１０９を備える。携帯電話機１００は、電池１０８により動作する。
【００１１】
無線部１０２は、受信レベル監視部１０３を含む。受信レベル監視部１０３は、アンテナ１０１から入力される受信信号の受信レベルを監視する。電池残量監視部１０６は、電池１０８の残量（電池残量）を監視する。閾値記憶部１０９は、受信信号の受信レベルの閾値を記憶する。閾値記憶部１０９は、電池残量の閾値を記憶してもよい。
【００１２】
制御部１０４は、判定部１０５を含む。判定部１０５は、受信レベル監視部１０３により監視されている受信信号の受信レベルを閾値記憶部１０９に記憶された閾値と比較する。そして、その比較結果に応じて、電池消費量が多いエリアで動作していることを示すメッセージか、電池消費量が少ないエリアで動作していることを示すメッセージか、又はその両方のメッセージを作成する。判定部１０５は、例えば、受信信号の受信レベルが閾値以下（又は閾値未満）の場合に、電池消費量が多いエリアで動作していることを示すメッセージを作成する。また、例えば、受信信号の受信レベルが閾値以上（又は閾値超）の場合に、電池消費量が少ないエリアで動作していることを示すメッセージを作成する。判定部１０５は、受信信号の受信レベルが閾値以下（又は未満）の場合、さらに、所定の通信（例えば、テレビ電話）を行っている場合には、電池消費量がより少ない通信（例えば、音声通話）に切り替えることを促すメッセージを作成する。判定部１０５は、電池残量監視部１０６により監視されている電池残量を閾値記憶部１０９に記憶された閾値と比較してもよい。そして、電池残量が閾値以下（又は未満）の場合にのみ、受信信号の受信レベルを受信レベルの閾値と比較してもよい。
【００１３】
マンマシン部１０７は、出力部、入力部を含む。出力部は、例えばＬＣＤ（液晶ディスプレイ）等の表示部１１０、スピーカ１１３であり、判定部１０５により作成されたメッセージを文字又は音声として出力する。入力部は、例えばキー入力部１１１、マイク１１２であり、制御部１０４等に対して命令やデータを入力する。
【００１４】
無線部１０２は、例えば無線通信モジュール（回路）である。閾値記憶部１０９は、例えばＲＡＭ（Ｒａｎｄｏｍ・Ａｃｃｅｓｓ・Ｍｅｍｏｒｙ）等の不揮発性メモリ、ＲＯＭ（Ｒｅａｄ・Ｏｎｌｙ・Ｍｅｍｏｒｙ）、フラッシュメモリ、メモリカード等の揮発性メモリである。制御部１０４は、例えばＣＰＵ（Ｃｅｎｔｒａｌ・Ｐｒｏｃｅｓｓｉｎｇ・Ｕｎｉｔ）である。例えば、ＣＰＵは、バスを介してＲＯＭ、ＲＡＭ、無線通信モジュール、表示部１１０、キー入力部１１１、マイク１１２、スピーカ１１３等と接続され、これらのハードウェアデバイスを制御する。
【００１５】
ここでまず、携帯電話機１００の無線基地局との基本的な無線通信の流れを説明する。
【００１６】
無線基地局から携帯電話機１００に届いた受信信号は、アンテナ１０１を介して無線部１０２で復調され、受信データとなり、制御部１０４で処理される。また、携帯電話機１００の内部で生成される送信データは、無線部１０２により変調され、送信信号となり、アンテナ１０１を介して無線基地局へ送信される。制御部１０４は、無線部１０２からの受信データを処理し、必要に応じてマンマシン部１０７に情報を通知する。マンマシン部１０７は、表示部１１０やスピーカ１１３を介して利用者にその情報を出力する。また、利用者が携帯電話機１００で音声通話やデータダウンロードの要求を行うと、マンマシン部１０７は、キー入力部１１１やマイク１１２からの入力を元に送信データを作成し、制御部１０４に受け渡す。制御部１０４は受け取った送信データを無線部１０２に受け渡す。
【００１７】
こうした無線通信を実施する携帯電話機１００は、送信信号の基地局への送信において、制御部１０４の制御指示により、無線部１０２が送信パワー制御を行う。使用環境での受信レべルが低い場合は、高い送信パワーで送信し、反対に、受信レベルが高い場合には低い送信パワーで送信を行う。このため、同じ使用時間であっても、受信レベルが低い場合の送信は、受信レベルが高い場合の送信に比べ、より多くの電池が消費され、結果的に電池による使用時間が短くなる。
【００１８】
図２は、携帯電話機１００の動作を示すフローチャートである。
【００１９】
閾値記憶部１０９は、予め受信信号の受信レベルの閾値と電池残量の閾値とを記憶する（ステップＳ１０１：閾値記憶ステップ）。
【００２０】
電池残量監視部１０６は、電池残量を監視する（ステップＳ１０２：電池残量監視ステップ）。電池残量監視部１０６は、閾値記憶部１０９に対する電池残量の閾値の設定機能を有していてもよい。携帯電話機１００が動作中、電池残量監視部１０６は、携帯電話機１００の使用により電池残量が予め設定された電池残量の閾値以下になった場合、制御部１０４に通知し、これを受けた制御部１０４はこの状態をメモリ等に記録しておく。また、電池残量監視部１０６は、電池の充電等により、電池残量が閾値を超えた場合、制御部１０４に通知し、これを受けた制御部１０４はこの状態をメモリ等に記録しておく。
【００２１】
受信レベル監視部１０３は、受信信号の受信レベルを監視する（ステップＳ１０３：受信レベル監視ステップ）。受信レベル監視部１０３は、受信レベルの閾値の設定機能を有していてもよい。携帯電話機１００が動作中、受信レベル監視部１０３は、携帯電話機１００の移動等により受信レベルが変化し、予め設定された受信レベルの閾値以下になった場合、制御部１０４に通知し、これを受けた制御部１０４はこの状態をメモリ等に記録しておく。また、受信レベル監視部１０３は、携帯電話機１００の移動等により受信レベルが変化し、閾値を超えた場合、制御部１０４に通知し、これを受けた制御部１０４はこの状態をメモリに記録しておく。
【００２２】
図３は、携帯電話機１００のガイド機能の動作（ガイド方法）を示すフローチャートである。制御部１０４内の判定部１０５は、携帯電話機１００が無線基地局への送信信号の送信を行うにあたって、図３のフローチャートにしたがって動作する。この動作について以下で説明する。
【００２３】
判定部１０５は、電池残量監視部１０６により監視されている電池残量を閾値記憶部１０９に記憶された閾値と比較する（ステップＳ２０１：判定ステップ）。例えば、判定部１０５は、制御部１０４によりメモリ等に記録された電池残量の状態（閾値以下又は閾値を超えている状態）を判定する。電池残量が閾値を超えている場合は、判定部１０５は特別な処理を行わず、制御部１０４から無線部１０２に送信データが受け渡され、送信信号が無線基地局へ送信される。
【００２４】
ステップＳ２０１において電池残量が閾値以下の場合は、判定部１０５は次の判定処理である受信レベル判定を行う。即ち、判定部１０５は、受信レベル監視部１０３により監視されている受信信号の受信レベルを閾値記憶部１０９に記憶された閾値と比較する（ステップＳ２０２：判定ステップ）。例えば、判定部１０５は、制御部１０４によりメモリ等に記録された受信レベルの状態（閾値以下又は閾値を超えている状態）を判定する。受信信号の受信レベルが閾値を超えている場合は、判定部１０５は特別な処理を行わず、制御部１０４から無線部１０２に送信データが受け渡され、送信信号が無線基地局へ送信される。
【００２５】
ステップＳ２０２において受信信号の受信レベルが閾値以下の場合は、判定部１０５は次の判定処理である通信状態判定を行う。即ち、判定部１０５は、携帯電話機１００が通信を行っているかどうかを判定する（ステップＳ２０３：判定ステップ）。例えば、判定部１０５は、制御部１０４から携帯電話機１００が通信中か待ち受け中かに関する情報を取得して、通信状態を判定する。
【００２６】
ステップＳ２０３において携帯電話機１００が通信を行っていない場合（待ち受け中の場合）は、判定部１０５は、受信信号の受信レベルが閾値以下であるので、電池消費量が多いエリアで動作していることを示すメッセージを作成する。そして、出力部は、判定部１０５により作成されたメッセージを出力する（ステップＳ２０５：出力ステップ）。例えば、判定部１０５は、電池残量が少ない上に受信レベルが低いエリアにいることを利用者に知らせるために、マンマシン部１０７に「電池消費量が多いエリアで使用しています」というメッセージを表示するように通知する。マンマシン部１０７は、これを受けて、表示部１１０にメッセージを表示する。
【００２７】
ステップＳ２０３において携帯電話機１００が通信を行っている場合（通信中の場合）は、判定部１０５は、携帯電話機１００が所定の通信を行っているかどうかを判定する（ステップＳ２０４：判定ステップ）。例えば、判定部１０５は、利用サービスがテレビ電話であるかどうかを判定する。携帯電話機１００が所定の通信を行っていない場合（例えば、音声通話の場合）、判定部１０５は特別な処理を行わず、制御部１０４から無線部１０２に送信データが受け渡され、送信信号が無線基地局へ送信される。
【００２８】
ステップＳ２０４において携帯電話機１００が所定の通信を行っている場合は、判定部１０５は、電池消費量がより少ない通信に切り替えることを促すメッセージを作成する。そして、出力部は、判定部１０５により作成されたメッセージを出力する（ステップＳ２０６：出力ステップ）。例えば、テレビ電話の場合、判定部１０５は、マンマシン部１０７に、より電池消費量の少ない音声通話への切り替えを促すガイドを表示するように通知する。マンマシン部１０７は、これを受けて、表示部１１０に切り替えガイドを表示する。この切り替えガイドを見た利用者が、切り替えを許容する応答をした場合、マンマシン部１０７は入力部を介してこれを制御部１０４に通知し、制御部１０４が音声通話への切り替え処理を行う（ステップＳ２０７：制御ステップ）。一方、利用者が切り替えを拒否する応答をした場合は、そのままテレビ電話での通話を継続する。
【００２９】
このように、本実施の形態は、携帯電話機利用時の受信レベルと電池残量から、使用環境が電池消費量の多いエリアであることを判定し、利用者に通知する機能を提供するものである。本実施の形態により、利用者は、携帯電話機を受信レベルの低い環境で使用した場合でも、利用者に、電池消費量が多いエリアで使用していることを認識させることにより、電池での使用時間の不満を解消することができる。つまり、利用者が認識していない利用環境の違いから生じる使用時間の違いを利用者に通知することにより、利用者の不満を解消することができる。本実施の形態は、電池を電源として動作する携帯電話機等の移動通信機に対して適用可能である。
【００３０】
以上のように、本実施の形態では、電池により動作する携帯電話機が、電池残量と受信レベルが予め設定してある閾値を下回った状況において、待ち受け状態の場合には、メッセージを使用して、電池消費量が多いエリアで使用していることを利用者に通知する機能を備えることを特徴する。
【００３１】
また、本実施の形態では、電池により動作する携帯電話機が、電池残量と受信レベルが予め設定してある閾値を下回った状況において、通信中の場合には、電池消費量が少ない通信サービスに切り替えを促すメッセージを表示し、利用者に切り替えさせることにより電池消費量を減らし使用時間を延ばすガイド機能を備えることを特徴する。
【図面の簡単な説明】
【００３２】
【図１】実施の形態１に係る移動通信機の構成を示すブロック図である。
【図２】実施の形態１に係る移動通信機の動作を示すフローチャートである。
【図３】実施の形態１に係る移動通信機の動作を示すフローチャートである。
【符号の説明】
【００３３】
１００  携帯電話機、１０１  アンテナ、１０２  無線部、１０３  受信レベル監視部、１０４  制御部、１０５  判定部、１０６  電池残量監視部、１０７  マンマシン部、１０８  電池、１０９  閾値記憶部、１１０  表示部、１１１  キー入力部、１１２  マイク、１１３  スピーカ。
【図１】
2007288346.tif 000003
【図２】
2007288346.tif 000004
【図３】
2007288346.tif 000005